【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
切断用のエッジを形成すべくブレードの少なくとも一方の面に切断用のエッジ面を備えたブレードのための砥ぎ器であって、
研磨表面を有する少なくとも１つの細長い研磨部材を取り付けるための支持構造と、
前記研磨部材に隣接して前記研磨表面の横に設けられる変位可能なガイド面を含む、ブレードのガイド機構とを有し、
前記ガイド面は、前記エッジ面が前記研磨部材の前記研磨表面と接触するとき、当該エッジ面を含む平面を通過して物理的に延びており、
前記変位可能なガイド面がブレードの表面に加えられる手動の圧力によって移動させられて、当該変位可能なガイド面を当該ガイド面に略垂直に移動させるとき、前記変位可能なガイド面は、ブレードの表面とスライド接触して、所定の砥ぎ角度で、前記研磨部材の前記研磨表面との接触を保って、ブレードのエッジ面を位置させて維持し、
前記ガイド面が一の位置から他の位置まで移されるとき、前記ガイド面は、砥ぎ動作にない中立位置のガイド面に対して平行に保たれてなる砥ぎ器。
【請求項２】
前記ガイド機構は、前記変位可能なガイド面の中立位置を設定し、前記ガイド面が中立位置から移動させられるときに復元力を与えて、前記ガイド面を中立位置に戻す位置決めのための構造を有する請求項１に記載の砥ぎ器。
【請求項３】
前記位置決めのための構造は少なくとも１つのスプリングである請求項２に記載の砥ぎ器。
【請求項４】
前記研磨部材および前記ガイド面は、第１セットを構成し、
前記第１セットに対して略鏡像の位置に設けられる第２セットを構成する第２研磨部材および第２ガイド面をさらに有し、
前記ガイド機構は、前記第２セットのガイド面の運動をも制御してなる請求項１に記載の砥ぎ器。
【請求項５】
ベースに取り付けられた据え付け部材をさらに有し、
前記ガイド機構は、前記据え付け部材に設けられたスライド軸受を有し、
前記変位可能なガイド面は、前記スライド軸受に取り付けられてなる請求項１に記載の砥ぎ器。
【請求項６】
前記スライド軸受を中立位置へ付勢するために、前記スライド軸受の両側部において前記据え付け部材に取り付けられる少なくとも１つのスプリング部材を備えてなる請求項５に記載の砥ぎ器。
【請求項７】
前記据え付け部材は、ベースに固定されたロッドであり、
前記スライド軸受は、前記ロッドの周囲にスライド可能に取り付けられるスリーブである請求項６に記載の砥ぎ器。
【請求項８】
前記変位可能なガイド面は、前記ガイド機構に取り付けられる回転可能なローラの外面である請求項１に記載の砥ぎ器。
【請求項９】
前記変位可能なガイド面は、プレートの端部である請求項１に記載の砥ぎ器。
【請求項１０】
前記変位可能なガイド面に沿って直線状に配置される磁石構造を備えてなる請求項１に記載の砥ぎ器。
【請求項１１】
前記研磨部材は、固定的で回転しないように取り付けられてなる請求項１に記載の砥ぎ器。
【請求項１２】
切断用のエッジを形成すべくブレードの少なくとも一方の面に切断用のエッジ面を備えたブレードのための砥ぎ器であって、
研磨表面を有する少なくとも１つの傾斜した細長い研磨部材を取り付けるための支持構造と、
前記研磨部材に隣接して前記研磨表面の横に設けられる変位可能な鉛直のガイド面を含む、ブレードのガイド機構とを有し、
前記ガイド面は、前記エッジ面が前記傾斜した研磨部材の前記研磨表面と接触するとき、当該エッジ面を通って水平方向に延びる平面を通過して物理的に延びており、
前記変位可能なガイド面がブレードの表面に加えられる手動の圧力によって移動させられて、当該変位可能なガイド面を当該ガイド面に略垂直に移動させるとき、前記変位可能なガイド面は、ブレードの表面とスライド接触して、所定の砥ぎ角度で、前記研磨部材の前記研磨表面との接触を保って、ブレードのエッジ面を位置させて維持し、
前記ガイド面が一の位置から他の位置まで移されるとき、前記ガイド面は、砥ぎ動作にない中立位置のガイド面に対して平行に保たれてなる砥ぎ器。
【請求項１３】
前記傾斜した研磨部材および前記鉛直のガイド面は、第１セットを構成し、
前記第１セットに対して略鏡像の位置に設けられる第２セットを構成する第２の傾斜した研磨部材および第２の鉛直のガイド面をさらに有し、
前記ガイド機構は、前記第２セットのガイド面の運動をも制御してなる請求項１２に記載の砥ぎ器。
【請求項１４】
前記支持構造に設けられる鉛直構造を有し、
前記鉛直構造は、前記変位可能な鉛直のガイド面および第２の鉛直のガイド面のための支持を提供するとともに、ブレードの表面によりガイド面に加えられる手動圧力によって各ガイド面が移動させられて各ガイド面を当該ガイド面に略垂直な方向に移動さ得るように、両ガイド面の位置を制御するための少なくとも１つのローラを有してなる請求項１３に記載の砥ぎ器。
【請求項１５】
前記ガイド面と前記支持構造とに接続され、ブレードの表面が前記ガイド面との接触から解放されるときに前記ガイド面を中立位置に復元させるための、少なくとも１つのスプリングを有してなる請求項１２に記載の砥ぎ器。
【請求項１６】
前記研磨部材は、固定的で移動しないように取り付けられてなる請求項１２に記載の砥ぎ器。
【請求項１７】
切断用のエッジを形成すべくブレードの少なくとも一方の面に切断用のエッジ面を備えたブレードのための手動の砥ぎ器であって、
第１の研磨表面を有する細長い第１の研磨部材、および第１の研磨部材と略鏡像の位置に互いに間隔を置いて設けられ第２の研磨表面を有する細長い第２の研磨部材と、
前記第１の研磨部材に隣接して前記第１の研磨表面の横に設けられる変位可能な第１のガイド面、および前記第２の研磨部材に隣接して前記第２の研磨表面の横に設けられた変位可能な第２のガイド面を含む、ブレードのガイド機構とを有し、
各ガイド面は、前記エッジ面が前記研磨部材の前記研磨表面と接触するとき、当該エッジ面を含む平面を通過して物理的に延びており、
前記第１および第２のガイド面は、一緒に動くように互いに連結されており、一方のガイド面が研磨表面に対して近接離間するときに他方のガイド面が動き、
前記ガイド面がブレードの表面に加えられる手動の圧力によって移動させられて、当該ガイド面を当該ガイド面に略垂直に一の位置から他の位置まで移動させるとき、前記ガイド面は、ブレードの表面とスライド接触して、所定の砥ぎ角度で、前記研磨部材の前記研磨表面との接触を保って、ブレードのエッジ面を位置させて維持し、
前記ガイド面が一の位置から他の位置まで移されるとき、前記ガイド面は、砥ぎ動作にない中立位置のガイド面に対して平行に保たれてなる砥ぎ器。
【請求項１８】
前記ガイド機構は、一対の平行な端部を有するプレートを有し、
前記端部の各々は、前記変位可能なガイド面の一方をそれぞれ有し、
前記ガイド機構は、第１の研磨部材および第２の研磨部材のいずれがブレードの砥ぎ器に使用されるかに応じて、第１の研磨表面および第２の研磨表面を含む各平面に対して近接離間移動し得るように設けられてなる請求項１７に記載の砥ぎ器。
【請求項１９】
前記ガイド機構は、一対の細長い平行な支持用のリンクを有し、
前記リンクの各々は、一端において前記プレートに回動可能に取り付けられ、他端において前記支持構造に回動可能に取り付けられてなる請求項１８に記載の砥ぎ器。
【請求項２０】
前記支持機構は、ベースと、前記ベースに堅固に取り付けられる固定部材とを有し、
前記リンクは、前記固定部材に回動可能に取り付けられてなる請求項１９に記載の砥ぎ器。
【請求項２１】
前記砥ぎ器が中立位置にある場合、前記リンクは、相互に一直線に、かつ前記第１および第２の研磨部材の間の中央にある前記固定部材とともに整列されてなる請求項２０に記載の砥ぎ器。
【請求項２２】
前記変位可能なガイド面の中立位置を設定し、前記ガイド面が中立位置から移動させられるときに復元力を与えて、前記ガイド面を中立位置に戻す位置決めのための構造を有する請求項１７に記載の砥ぎ器。
【請求項２３】
前記ガイド機構は、２つの間隔を置いたプレートを有し、
前記プレートの各々は、前記第１および第２のガイド面を備えるための外側端部を有し、
前記ガイド面は、それぞれの研磨表面の方に向いて配置され、
前記ガイド機構は、長手方向の中央で一緒に回動可能に取り付けられる一対のリンクを有し、
前記リンクの各々は、それぞれ前記プレートの１つに一方の端部にて取り付けられるとともに、前記リンクの各々は、支持機構に他方の端部にて取り付けられてなる請求項１７に記載の砥ぎ器。
【請求項２４】
前記支持構造は、ベースと、前記ベースに取り付けられるポストとを有し、
前記ポストは、間隔を置いて直線状に配置されたスロットを有し、
前記リンクは、前記間隔を置いて直線状に配置されたスロットにスライド可能に取り付けられるピンによって前記ポストに取り付けられ、
前記プレートの各々は、細長いスロットを有し、
前記プレートにおける前記細長いスロットの各々は、互いに平行であり、
前記リンクの各々は、前記プレートの前記細長いスロットにスライド可能に取り付けられるピンによってそれぞれのプレートに取り付けられ、
前記リンクは、前記間隔を置いて直線状に配置されたスロットにスライド可能に取り付けられてなる請求項２３に記載の砥ぎ器。
【請求項２５】
スプリング部材が前記リンクを中立位置へ付勢してなる請求項２４に記載の砥ぎ器。
【請求項２６】
ベースに取り付けられた据え付け部材をさらに有し、
前記ガイド機構は、前記据え付け部材に設けられたスライド軸受を有し、
前記変位可能なガイド面は、前記スライド軸受に取り付けられてなる請求項１７に記載の砥ぎ器。
【請求項２７】
前記スライド軸受を中立位置へ付勢するために、前記スライド軸受の両側部において前記据え付け部材に取り付けられるスプリング部材を備えてなる請求項２６に記載の砥ぎ器。
【請求項２８】
前記据え付け部材は、ベースに固定されたロッドであり、
前記スライド軸受は、前記ロッドの周囲にスライド可能に取り付けられるスリーブである請求項２７に記載の砥ぎ器。
【請求項２９】
前記ガイド機構は、お互いに平行に取り付けられた一対の細長いローラを有し、
前記ローラの各々は、前記変位可能なガイド面を含む外面を有してなる請求項２８に記載の砥ぎ器。
【請求項３０】
前記ガイド面は、前記ガイド機構に取り付けられる回転可能なローラの外面である請求項１７に記載の砥ぎ器。
【請求項３１】
前記支持構造は、直立した中央部と横方向の延長部とを有し、
前記ローラは、前記横方向の延長部に取り付けられるローラを有してなる請求項３０に記載の砥ぎ器。